(57)【要約】【課題】エアゾール容器のガス抜きを、排出された内容物の周囲への不要な飛散を防止しつつ簡便に行う。【解決手段】エアゾールバルブが装着された容器本体２に冠着されるガス抜き用キャップ１０Ａであって、冠着時にエアゾールバルブのステム４を覆うキャップ本体１１と、ステム４を押圧する突起部１２とを備え、突起部１２がステム側端部１２ｂにテーパー１２ｃを有し、キャップ天面１１ａにスライド可能に取り付けられている。【選択図】図１Ａ
2008094425.tif 000002
【特許請求の範囲】
【請求項１】
エアゾールバルブが装着された容器本体に冠着されるガス抜き用キャップであって、冠着時にエアゾールバルブのステムを覆うキャップ本体と、ステムを押圧する突起部とを備え、突起部がステム側端部にテーパーを有し、キャップ天面にスライド可能に取り付けられているガス抜き用キャップ。
【請求項２】
ステムの周囲に液溜部を形成する液溜形成部材を備えた請求項1記載のガス抜き用キャップ。
【請求項３】
キャップ天面に突起部のスライド孔が形成されており、突起部がステムを押圧している状態で、ステムとキャップ天面のスライド孔との間を遮蔽する羽部が突起部に設けられている請求項１又は２記載のガス抜き用キャップ。
【請求項４】
キャップ天面に突起部のスライド孔が形成されており、突起部のスライド孔側端部に繋がるスライド片がキャップ天面の外側に設けられ、少なくと突起部がステムを押圧している状態でスライド片がスライド孔を覆う請求項１又は２記載のガス抜き用キャップ。
【請求項５】
エアゾールバルブが装着された容器本体と請求項１〜４のいずれかに記載のガス抜き用キャップを備えたエアゾール容器。
【請求項６】
エアゾール容器の内容物が染毛剤である請求項５記載のエアゾール容器。
【請求項７】
ガス抜き用キャップが容器本体底部に冠着される請求項５又は６記載のエアゾール容器。
【発明の詳細な説明】
【技術分野】
【０００１】
本発明は、エアゾール容器の廃棄時に使用するガス抜き用キャップに関する。
【背景技術】
【０００２】
ガス抜き処理を簡便に行えるようにするため、エアゾール容器に被冠されるキャップであって、ガス抜き部材をキャップ壁面に着脱自在に取り付けたものが提案されている（特許文献１）。このキャップによれば、ガス抜き部材をキャップ壁面から取り外すと、キャップにガス抜き孔が形成され、また、取り外したガス抜き部材をキャップの内側中央部に取り付け、そのキャップをエアゾール容器に被冠させると、ガス抜き部材でステムを押圧することができるので、残ガスや残液を排出させることができる。
【０００３】
【特許文献１】特開２００１−１４６２８１号公報
【発明の開示】
【発明が解決しようとする課題】
【０００４】
しかしながら、上述のキャップでは、ガス抜き時に、キャップ壁面に取り付けられていたガス抜き部材をキャップの内側中央部に付け替える手間を要し、利便性に欠ける。
【０００５】
これに対し、本発明は、エアゾール容器のガス抜きをより簡便に行うことができ、かつガス抜き時に排出された内容物の周囲への不要な飛散を防止することを目的とする。
【課題を解決するための手段】
【０００６】
本発明者らは、ガス抜き時にキャップを被せてステムを押圧するに際し、端部にテーパーが形成された突起部をスライドさせてそのテーパー面をステムの横から押しつけると、ステムの吐出孔を塞ぐことなくステムを押し下げることができ、内容物を排出できることを見いだし、本発明を完成させた。
【０００７】
即ち、本発明は、エアゾールバルブが装着された容器本体に冠着されるガス抜き用キャップであって、冠着時にエアゾールバルブのステムを覆うキャップ本体と、ステムを押圧する突起部とを備え、突起部がステム側端部にテーパーを有し、キャップ天面にスライド可能に取り付けられているガス抜き用キャップを提供し、特に、ステムの周囲に液溜部を形成する液溜形成部材を備えた態様を提供する。
【０００８】
また、本発明は、エアゾールバルブが装着された容器本体と上述のガス抜き用キャップを備えたエアゾール容器を提供する。
【発明の効果】
【０００９】
本発明のガス抜き用キャップによれば、それを容器本体に冠着させ、キャップ本体でステムを覆い、突起部をスライドさせて突起部のテーパー面でステムを横から押すと、ステムの吐出孔が塞がれることなくステムが押し下げられるので、残ガスや残液を排出することができる。このとき排出された残ガスや残液は、ステムを覆っているキャップ本体により、不要に飛散することが防止される。
【００１０】
特に、このガス抜き用キャップを容器本体に冠着させるにあたり、ステムの周囲に液溜部を形成する液溜形成部材を装着しておくと、ステムから排出された残液がガス抜き用キャップ外に漏れ出ることなく、液溜部に溜まるので、ガス抜き時に容器の周囲が残液で汚れることを防止できる。
【発明を実施するための最良の形態】
【００１１】
以下、図面を参照しつつ本発明を詳細に説明する。なお、各図中、同一符号は同一又は同等の構成要素を表している。
【００１２】
図３Ａは、ガス抜き用キャップを外している状態の本発明の一実施例のエアゾール容器の斜視図であり、図３Ｂはそのガス抜き用キャップの断面図、図３Ｃはそのガス抜き用キャップの突起部付近の切欠図である。図２Ａは、このガス抜き用キャップを容器本体上に被せた状態の斜視図であり、図２Ｂはその断面図、図２Ｃはその上面図である。また、図１Ａは、図２Ｂの状態からガス抜き用キャップをステム上にスライドさせた状態のエアゾール容器の斜視図であり、図１Ｂはその上面図である。
【００１３】
このエアゾール容器１は、容器本体２の上部開口部にエアゾールバルブ３を装着したもので、エアゾールバルブ３から起立しているステム４を押し込むことにより、容器本体２内に収容されている液剤がステム４の吐出孔から噴射ガスと共に吐出されるものである。
【００１４】
ここで、容器本体２に収容する液剤としては、特に制限はないが、本発明のガス抜き用キャップは、ガス抜き時に排出物の飛散を防止できることから、髪に付着させるために粘性が高く、飛散により周囲の汚れが問題となるヘアカラー、ヘアマニュキュア等の染毛剤を内容物とする場合に、特に有効となる。
【００１５】
容器本体２のステム周りには、所定の塗布具あるいはガス抜き用キャップ１０Ａを着脱自在に螺合させることを可能とする肩カバー５が装着されている。肩カバーに螺合させる塗布具としては、収容する液剤の用途、種類等に応じて種々の形態のものを使用することができるが、例えば、容器本体２に収容させる液剤がヘアマニュキュアである場合、図４Ａに示すようなブラシ３０をあげることができる。このブラシ３０は、各櫛歯３１内に液流路を有すると共に、ステム４を押下げて流路を開閉するボタン３２を有し、図４Ｂに示すように、肩カバー５に螺合させ、ボタン３２で液流路を開くことにより、各櫛歯からヘアマニュキュアを吐出させるものである。
【００１６】
肩カバー５には、ガス抜き用キャップ１０Ａを肩カバー５に冠着させた場合に、肩カバー５の上面とガス抜き用キャップ１０Ａで囲まれる空間と外部とを通気させるガス抜き孔６が形成されている。
【００１７】
ガス抜き用キャップ１０Ａは、キャップ本体１１と、キャップ本体１１の内側天面に突出する突起部１２からなる。キャップ本体１１の内周壁には肩カバー５に螺合するねじ山が切られており、これを螺合させることによりガス抜き用キャップ１０Ａは、ステム４上を覆うように容器本体２に冠着する。また、キャップ天面１１ａには、突起部１２をスライドさせるため、スライド孔１３が形成されている。
【００１８】
ガス抜き用キャップ１０Ａの突起部１２は、その一端１２ａがスライド孔１３から突出し、他端１２ｂが、ガス抜き用キャップ１０Ａを容器本体２に冠着させた場合にステム４の近傍に位置するようにキャップ天面１１ａから垂下している。この突起部１２のステム側端部１２ｂには、ガス抜き用キャップ１０Ａを容器本体２に冠着させた状態でステム４に対向する側にテーパー面１２ｃが形成されている。
【００１９】
また、突起部１２には、図３Ｃに示すように羽部１８が延設されている。この羽部１８は、突起部１２がステム４を押圧する状態で、ステム４の吐出孔とキャップ天面のスライド孔１３との間を遮蔽するように設ける。
【００２０】
ガス抜き用キャップ１０Ａは、ガス抜き時以外（即ち、通常のエアゾール容器としての使用時）においても、エアゾール容器１に掛止させておくことが、ガス抜き時にガス抜き用キャップ１０Ａを探す手間がないので好ましい。そのため、例えば、図４Ａ、図４Ｂに示すように、ガス抜き用キャップ１０Ａを、容器本体２の底部に冠着できるようにすることが好ましい。この場合に、ガス抜き用キャップ１０Ａが、容器本体２の起立保持具となるように、キャップ１０Ａの接地面に平坦部を形成してもよい。
【００２１】
また、本実施例のガス抜き用キャップ１０Ａは液溜形成部材１４を備えている。液溜形成部材１４は、ガス抜き時に排出させた残液が容器本体２の外面に垂れないようにするため、必要に応じて設けられる。液溜形成部材１４は、中央部にステム４を挿入させるステム挿入孔１６が開口した環状の溝型形状となっており、ステム挿入孔１６にステム４を挿入させ、容器本体２上に装着すると、液溜部１５がステム４に隣接し、ステム４の周囲を囲むこととなる。
【００２２】
なお、本実施例では、液溜形成部材１４をキャップ本体１１と独立した部品としているが、バネ材等により液溜形成部材１４をキャップ本体１１に取り付けてもよい。これにより、ガス抜き用キャップ１０Ａを容器本体２に冠着させる際に、別個に液溜形成部材１４を装着する手間を省くことができる。あるいは、エアゾール容器１の使用時において、肩カバー５に塗布具を取り付ける場合でも、液溜形成部材１４を肩カバー５に装着しておけるように塗布具を構成することにより、常時、液溜形成部材１４を容器本体２に装着しておくようにしてもよい。
【００２３】
このガス抜き用キャップ１０Ａを用いてガス抜きを行う場合には、まず、図２Ｂ示すように、液溜形成部材１４を容器本体２の肩カバー５上に装着し、さらにキャップ本体１１を被せ、ガス抜き用キャップ１０Ａと肩カバー５を螺合させる。次いで、図１Ａに示すように、キャップ天面１１ａに突出している突起部１２の一端１２ａを横押し、突起部１２をステム４上にスライドさせる。これにより、突起部のテーパー面１２ｃがステム４を押し下げ、ステム４の吐出孔から残ガスＧと残液Ｌが排出される。このとき、キャップ天面１１ａにはスライド孔１３が開口しているが、突起部１２の羽部１８が、排出された残液がスライド孔１３から飛散することを防止する。したがって、排出された残液Ｌは液溜部１５に溜まり、残ガスＧはガス抜き孔６を通して排気される。よって、ガス抜き用キャップ１０Ａを冠着させ、突起部１２をスライドさせるという簡便な操作で、ガス抜き処理を行うことが可能となる。
【００２４】
本発明は、この他種々の態様をとることができる。例えば、図５Ａ〜図５Ｃに示すガス抜き用キャップ１０Ｂは、突起部１２に羽部１８を設けることなく、突起部１２のスライド孔側端部に、スライド孔１３を充分に塞ぐことのできる大きさのスライド片１９を設けたものである。このガス抜き用キャップ１０Ｂでは、突起部１２をステム４上にスライドさせる前の状態ではキャップ天面１１ａにスライド孔１３が開口しているが、図６Ａ、図６Ｂに示すように、突起部１２をステム４上にスライドさせた状態では、スライド片１９がスライド孔１３を完全に覆う。したがって、ガス抜き時に残液Ｌがスライド孔１３から外部に飛散することを防止できる。なお、図示した態様では、突起部１２をステム４上にライドする前の状態では、キャップ天面１１ａにスライド孔１３が開口しているが、この状態においてもスライド孔１３がスライド片１９で覆われるように、スライド片１９を広く形成してもよい。また、スライド片１９は、突起部１２と別体に成形したものを突起部１２に取り付けてもよく、突起部１２と一体に成形したものでもよい。
【産業上の利用可能性】
【００２５】
本発明のガス抜き用キャップは、エアゾール容器の廃棄時のガス抜き処理に有用である。
【図面の簡単な説明】
【００２６】
【図１Ａ】ガス抜き用キャップを容器本体に被せ、その突起部をステム上にスライドさせた状態の断面図である。
【図１Ｂ】ガス抜き用キャップを容器本体に被せ、その突起部をステム上にスライドさせた状態の上面図である。
【図２Ａ】ガス抜き用キャップを容器本体に被せた状態の斜視図である。
【図２Ｂ】ガス抜き用キャップを容器本体に被せた状態の断面図である。
【図２Ｃ】ガス抜き用キャップを容器本体に被せた状態の上面図である。
【図３Ａ】ガス抜き用キャップを容器本体から外した状態のエアゾール容器の斜視図である。
【図３Ｂ】容器本体から外した状態のガス抜き用キャップの断面図である。
【図３Ｃ】ガス抜き用キャップの突起部付近の切欠図である。
【図４Ａ】容器本体に取り付けるブラシの斜視図である。
【図４Ｂ】ブラシを取り付けた容器本体の斜視図である。
【図５Ａ】他のガス抜き用キャップを容器本体に被せた状態の断面図である。
【図５Ｂ】他のガス抜き用キャップを容器本体に被せた状態の上面図である。
【図５Ｃ】他のガス抜き用キャップの突起部付近の切欠図である。
【図６Ａ】他のガス抜き用キャップを容器本体に被せ、その突起部をステム上にスライドさせた状態の断面図である。
【図６Ｂ】他のガス抜き用キャップを容器本体に被せ、その突起部をステム上にスライドさせた状態の上面図である。
【符号の説明】
【００２７】
１    エアゾール容器
２    容器本体
３    エアゾールバルブ
４    ステム
５    肩カバー
６    ガス抜き孔
１０Ａ    ガス抜き用キャップ
１０Ｂ    ガス抜き用キャップ
１１    キャップ本体
１１ａ  キャップ天面
１２    突起部
１２ａ  突起部のスライド孔側端部
１２ｂ  突起部のステム側端部
１２ｃ  突起部のテーパー面
１３    スライド孔
１４    液溜形成部材
１５    液溜部
１６    ステム挿入孔
１７    筒状部材
１８    羽部
１９    スライド片
３０    ブラシ
３１    櫛歯
３２    ボタン
【図１Ａ】
2008094425.tif 000003
【図１Ｂ】
2008094425.tif 000004
【図２Ａ】
2008094425.tif 000005
【図２Ｂ】
2008094425.tif 000006
【図２Ｃ】
2008094425.tif 000007
【図３Ａ】
2008094425.tif 000008
【図３Ｂ】
2008094425.tif 000009
【図３Ｃ】
2008094425.tif 000010
【図４Ａ】
2008094425.tif 000011
【図４Ｂ】
2008094425.tif 000012
【図５Ａ】
2008094425.tif 000013
【図５Ｂ】
2008094425.tif 000014
【図５Ｃ】
2008094425.tif 000015
【図６Ａ】
2008094425.tif 000016
【図６Ｂ】
2008094425.tif 000017